(57)【特許請求の範囲】
【請求項１】
直線状に延びるガイド部材と、前記ガイド部材に案内されて情報が記録されたディスクの面に沿って移動する移動ベースと、前記移動ベースに搭載されてディスクに光束を集光させる対物レンズとを有する光ピックアップ装置において、
前記移動ベースに取付け部が形成されて、金属板製の摺動金具が前記取付け部に固定されており、
前記摺動金具には、取付け基準部と、前記取付け基準部の一部に形成されて前記ガイド部材の上部を摺動する摺動部と、前記取付け基準部から下向きに曲げられて前記ガイド部材の下部に弾性力を有して圧接し摺動する弾性腕部と、前記取付け基準部の前記弾性腕部が延びる側と逆の側から上向きに曲げられた連結部と、前記連結部から曲げられて前記取付け基準部の上方に対向する固定部とが一体に形成されており、
前記取付け基準部が、前記移動ベースの前記取付け部の下面に設置され、前記固定部が前記取付け部の上面に設置されて固定されていることを特徴とする光ピックアップ装置。
【請求項２】
前記移動ベースには、前記取付け部の下面に間隔を空けて対向する挟持部が設けられ、前記取付け基準部が、前記取付け部と前記挟持部の間に挟みこまれている請求項１記載の光ピックアップ装置。
【請求項３】
前記摺動金具が前記移動ベースに取り付けられていない自由状態において、前記固定部は、前記連結部から離れるにしたがって前記取付け基準部から遠ざかるように傾斜しており、前記固定部が、前記連結部から離れた位置で前記移動シャーシの前記取付け部に固定されている請求項２記載の光ピックアップ装置。
【請求項４】
前記摺動金具は、前記固定部と前記連結部との境界部の断面積が、前記取付け基準部と前記連結部との境界部の断面積よりも小さく形成されている請求項２または３記載の光ピックアップ装置。
【請求項５】
前記取付け基準部の一部に、前記弾性腕に向けて突出する凸部が形成され、この凸部が前記摺動部とされている請求項１ないし４のいずれかに記載の光ピックアップ装置。
【請求項６】
前記移動ベースには、前記対物レンズを搭載したピックアップ本体が搭載されており、前記摺動金具には、前記ピックアップ本体を前記移動ベースに押圧する押圧部が一体に形成されている請求項１ないし５のいずれかに記載の光ピックアップ装置。
【請求項７】
前記移動ベースには、前記押圧部による押圧側と逆側から挿入されて前記ピックアップ本体に螺着された調整ねじが設けられており、前記調整ねじのねじ込み量を可変することで、前記対物レンズの光軸の倒れ調整が可能とされている請求項６記載の光ピックアップ装置。
【発明の詳細な説明】
【技術分野】
【０００１】
本発明は、ディスクに対して情報の記録や再生を行う光ピックアップ装置に関する。
【背景技術】
【０００２】
下記の特許文献１には、光記録ディスクに対する情報の再生や情報の記録を行う光ピックアップ装置が開示されている。
【０００３】
この光ピックアップ装置では、ベースに対物レンズやその他の光学部材が搭載されている。また、ベースをディスクの記録面に沿って移動させるための、スクリューシャフトとガイド面とが平行に配置されている。
【０００４】
ベースの一方の側部２箇所が、スクリューシャフトに最小の隙間を介して挿通され、スクリューシャフトの送り力により、ベースはスクリューシャフトを基準として直線的に移動する。また、ベースの他方の側部に設けられた受け部がガイド部材を摺動することにより、ベースが直線的に移動できるように構成されている。
【０００５】
ベースの側部に設けられた受け部には、ガイド部材と直交する向きに配置されて、ガイド部材と摺動する金属ピンが固定されている。さらに、前記受け部では、金属ピンに対向する板ばねがベースに固定されており、金属ピンと板ばねとがガイド部材を挟み、金属ピンと板ばねの双方がガイド部材と摺動するように構成されている。
【０００６】
光ピックアップ装置がディスクの径方向に移動する間、対物レンズからディスクの記録面に検知光が照射され、ディスクの記録面からの戻り光が対物レンズを介して受光されて、ディスクの記録面に記録されたディジタル情報が読み取られる。あるいは、対物レンズからディスクの記録面に集光される記録光のエネルギーによって、ディスクの記録面にディジタル情報が記録される。
【特許文献１】特開２００１−２７３７３２号公報
【発明の開示】
【発明が解決しようとする課題】
【０００７】
引用文献１に記載の発明は、前記受け部に設けられた金属ピンとガイド部材を摺動させることで、前記受け部とガイド部材との摺動摩擦力を低減できる効果を奏する。その反面、金属ピンと板ばねが別部材としてベースに固定されているため、部品数が多くなる。また、金属ピンをベースの受け部に埋設しているため、金属ピンをベースに取り付ける作業が煩雑であり、固定力が弱すぎる場合には、金属ピンがベースから離脱するおそれもある。
【０００８】
本発明は上記従来の課題を解決するものであり、最小の部品数で構成でき、組立作業が容易であり、しかも、対物レンズを搭載したベースを高精度に直線移動させることができる光ピックアップ装置を提供することを目的としている。
【課題を解決するための手段】
【０００９】
本発明は、直線状に延びるガイド部材と、前記ガイド部材に案内されて情報が記録されたディスクの面に沿って移動する移動ベースと、前記移動ベースに搭載されてディスクに光束を集光させる対物レンズとを有する光ピックアップ装置において、
前記移動ベースに取付け部が形成されて、金属板製の摺動金具が前記取付け部に固定されており、
前記摺動金具には、取付け基準部と、前記取付け基準部の一部に形成されて前記ガイド部材の上部を摺動する摺動部と、前記取付け基準部から下向きに曲げられて前記ガイド部材の下部に弾性力を有して圧接し摺動する弾性腕部と、前記取付け基準部の前記弾性腕部が延びる側と逆の側から上向きに曲げられた連結部と、前記連結部から曲げられて前記取付け基準部の上方に対向する固定部とが一体に形成されており、
前記取付け基準部が、前記移動ベースの前記取付け部の下面に設置され、前記固定部が前記取付け部の上面に設置されて固定されていることを特徴とするものである。
【００１０】
本発明の光ピックアップ装置では、ガイド部材を挟んで、このガイド部材を摺動する摺動部および弾性腕部が金属板で一体に形成されているため、ガイド部材と摺動する部分の部品点数を削減できる。また、摺動部と弾性腕部とは一体に形成されているため、摺動部と弾性腕部との対向間隔を適正に設定でき、摺動部および弾性腕部の、ガイド部材に対する摺動摩擦力を最適に設定できる。
【００１２】
上記構成の光ピックアップ装置では、固定部と取付け基準部とで、移動ベースの一部である取付け部を挟むようにして、この摺動金具をベースに取り付けることができる。よって、摺動金具をベースに取り付ける際の作業が容易である。
【００１３】
また本発明は、前記移動ベースには、前記取付け部の下面に間隔を空けて対向する挟持部が設けられ、前記取付け基準部が、前記取付け部と前記挟持部の間に挟みこまれていることが好ましい。
【００１４】
前記取付け基準部を、ベースに設けられた取付け部と挟持部との間に差し込むことにより、その一部が摺動部となる取付け基準部を、ベースの取付け部の下面に位置決めして設置できる。
【００１５】
さらに本発明は、前記摺動金具が前記移動ベースに取り付けられていない自由状態において、前記固定部は、前記連結部から離れるにしたがって前記取付け基準部から遠ざかるように傾斜しており、前記固定部が、前記連結部から離れた位置で前記移動シャーシの前記取付け部に固定されて、前記取付け基準部が、前記取付け部の下面に当接させられているものが好ましい。
【００１６】
上記構成の光ピックアップ装置では、固定部を、ベースの取付け部の上面にねじ止めなどで固定すると、固定部を取付け部の上面に押し付ける力の反力で、取付け基準部が取付け部の下面に密着しやすくなる。そのため、取付け基準部に設けられる摺動部をベースに高精度に位置決めできる。
【００１７】
また、本発明は、前記摺動金具は、前記固定部と前記連結部との境界部の断面積が、前記取付け基準部と前記連結部との境界部の断面積よりも小さく形成されていることが好ましい。
【００１８】
このようにすると、固定部と連結部との境界部で、摺動金具が折り曲がりやすくなり、摺動金具の固定部をベースの取付け部の上面に固定する際、その反力で、取付け基準部が取付け部の下面からわずかに離れるような現象を防止でき、取付け基準部を常に取付け部の下面に密着させやすくなる。
【００１９】
また、本発明では、前記取付け基準部の一部に、前記弾性腕に向けて突出する凸部が形成され、この凸部が前記摺動部とされていることが好ましい。
【００２０】
前記凸部を摺動部とすることにより、摺動部とガイド部材との摺動摩擦力を低減できる。
【００２１】
また、本発明は、前記移動ベースには、前記対物レンズを搭載したピックアップ本体が搭載されており、前記摺動金具には、前記ピックアップ本体を前記移動ベースに押圧する押圧部が一体に形成されているものである。
【００２２】
また、本発明は、前記移動ベースには、前記押圧部による押圧側と逆側から挿入されて前記ピックアップ本体に螺着された調整ねじが設けられており、前記調整ねじのねじ込み量を可変することで、前記対物レンズの光軸の倒れ調整が可能とされているものである。
【００２３】
上記構成の光ピックアップ装置では、摺動金具に、摺動部と弾性腕部のみならず、ピックアップ本体をベースに設置するために押圧部が一体に形成されているため、光ピックアップ装置を構成する部品数をさらに削減することができる。
【発明の効果】
【００２４】
本発明の光ピックアップ装置では、対物レンズが搭載された移動ベースと、ガイド部材との摺動部分の部品点数を削減でき、製造コストを低減することができる。また、ガイド部材との摺動部分の組み立て作業も容易になる。さらに、ガイド部材と摺動する摺動部を、ベースに高精度に位置決めして取り付けることも容易である。
【発明を実施するための最良の形態】
【００２５】
図１（Ａ）は、本発明の実施の形態の光ピックアップ装置を示す斜視図、図１（Ｂ）は、前記光ピックアップ装置の主要部である移動ベースと摺動金具とを分離して示す分解斜視図、図２は、前記光ピックアップ装置の平面図、図３は、前記摺動金具を示す斜視図である。図４は、移動ベースへの摺動金具の取付け構造を示す図１（Ａ）（Ｂ）のＩＶ矢視の部分側面図であり、図４（Ａ）は摺動金具を移動ベースに差し込んだ状態を示し、図４（Ｂ）は、摺動金具をねじで固定した状態を示す。図５は、図４（Ｂ）のＶ矢視の部分端面図である。図６は、移動ベースからピックアップ本体を取り除いた状態を示す平面図、図７は、移動ベース上に設けられたピックアップ本体の光軸調整機構を示す断面図である。
【００２６】
図１（Ａ）と図２に示す光ピックアップ装置１は、ＣＤプレーヤやＤＶＤプレーヤなどの光ディスク装置に用いられる。光ピックアップ装置１は、移動部１０を有し、さらに、この移動部１０を光ディスクの記録面に沿って案内するとともに、移動部１０に移動力を与えるスクリュー軸２と、移動部１０を前記移動方向へ案内するガイド軸（ガイド部材）３とを有している。スクリュー軸２とガイド軸３は互いに平行に延びている。スクリュー軸２は、スレッドモータ（図示せず）によって回転駆動される。
【００２７】
移動部１０は、移動ベース１１と、移動ベース１１に搭載されたピックアップ本体３０を有している。移動ベース１１は合成樹脂材料またはアルミニウム合金などで形成されている。ピックアップ本体３０には、光ディスクの記録面に対向する対物レンズ３１が設けられている。また、ピックアップ本体３０の内部には、発光素子と受光素子とが設けられ、発光素子から発せられた光束が対物レンズ３１によって光ディスクの記録面に集光される。また、光ディスクの記録面から反射された戻り光束が、対物レンズ３１を経てピックアップ本体３０内に戻り、前記受光素子で受光される。
【００２８】
移動ベース１１の一方の側部（Ｘ１側の側部）には、基準軸受部１２が一体に形成されている。基準軸受部１２には、一対の軸受穴１２ａ，１２ｂが形成されている。この軸受穴１２ａ，１２ｂが、スクリュー軸２の外周に最小の隙間を介して挿通されており、移動ベース１１は、スクリュー軸２の軸中心線を移動基準として直線的に移動する。基準軸受部１２では、軸受穴１２ａと軸受穴１２ｂとの中間に、係止部材（図示せず）が設けられ、この係止部材がばねの付勢力を介して、スクリュー軸２の螺旋溝に係合している。そして、スクリュー軸２の回転動力が前記係止部材に直線移動力を与え、移動部１０が前後に直線移動できる。
【００２９】
移動ベース１１の他方の側部（Ｘ２側の側部）には受け部１８が設けられ、この受け部１８がガイド軸３を摺動する。受け部１８は、ガイド軸３の上部（Ｚ１側）と下部（Ｚ２側）を摺動し、これにより、移動ベース１１は、スクリュー軸２の軸中心線を移動基準として移動する。
【００３０】
図４（Ａ）（Ｂ）および図５に詳しく示されるように、受け部１８では、移動ベース１１に取付け部１３が一体に形成されており、取付け部１３に摺動金具２０が取り付けられている。取付け部１３は、摺動金具２０の取付け基準面となる下面１３ａと、摺動金具２０を固定する固定面となる上面１３ｂと、下面１３ａと上面１３ｂの双方に直交する垂直面である端面１３ｃを有しており、上面１３ｂと端面１３ｃとの角部には、面取り部１３ｄが形成されている。
【００３１】
図５に示すように、移動ベース１１には、Ｙ２側に挟持部１４が、Ｙ１側に挟持部１５が設けられ、挟持部１４と挟持部１５との間には、可動空間１６が形成されている。図４（Ａ）（Ｂ）に示すように、挟持部１４と挟持部１５は、取付け部１３の端面１３ｃよりもＸ１側に後退した位置に形成されている。挟持部１４の上面である挟持面１４ａと、挟持部１５の上面である挟持面１５ａは、互いに同一面上に位置する平面であり、取付け部１３の下面１３ａと、挟持面１４ａ，１５ａとの隙間の間隔は、摺動金具２０を構成する金属板の板厚寸法と同じか、それよりもやや広く形成されている。また、可動空間１６は、取付け部１３の下面１３ａの下方に延びる空間である。
【００３２】
図３に示すように、摺動金具２０は、ステンレスやリン青銅板などの板ばねとして機能できる弾性を発揮する金属板で形成されている。摺動金具２０は、ほぼ矩形状の取付け基準部２１を有している。取付け基準部２１のＸ１側の端部２１ａからは、変形部２２が一体に延びている。変形部２２のＹ方向の幅寸法は、取付け基準部２１の同方向の幅寸法よりも細く形成されている。変形部２２は、取付け基準部２１の端部２１ａから一体にＸ１方向に延びる延出部２２ａと、延出部２２ａのＸ１側でＵ字形状に曲げられた湾曲部２２ｂと、湾曲部２２ｂに連続してＸ２方向に延びる弾性腕部２２ｃとを有しており、弾性腕部２２ｃは、Ｚ２側において、取付け基準部２１の下面に対向している。
【００３３】
取付け基準部２１のＸ２側の端部には、Ｚ２方向へ隆起形成された１つの摺動凸部２３が一体に形成されている。また、弾性腕部２２ｃのＸ２側の端部には、Ｚ１方向へ隆起形成された１つの弾圧凸部２４が一体に形成されている。摺動凸部２３と弾圧凸部２４は、Ｚ方向において互いに対向している。摺動金具２０に外力が作用していない自由状態において、摺動凸部２３の下面と弾圧凸部２４の上面との対向間隔は、ガイド軸３の直径寸法よりも狭くなるように設定されている。
【００３４】
摺動金具２０には、取付け基準部２１のＺ１側、すなわち弾性腕部２２ｃと逆の側に対向する固定部２５が一体に形成されている。摺動金具２０のＸ２側の端部には、取付け基準部２１と固定部２５とを連結する連結部２６，２６が一体に形成されている。連結部２６，２６は、Ｙ方向に間隔を空けて設けられ、取付け基準部２１から直角に立ち上がるように折り曲げられている。
【００３５】
図３に示すように、連結部２６，２６の幅寸法はＷ２である。固定部２５のＸ２側の端部には、連結部２６，２６と連続する幅細部２５ａ，２５ａが形成されており、この幅細部２５ａ，２５ａの幅寸法は、連結部２６，２６の幅寸法と同じＷ２である。また、連結部２６，２６と幅細部２５ａ，２５ａとの折り曲げ境界部には凹部２７，２７が形成されており、前記折り曲げ境界部での断面積が、連結部２６，２６の断面積および幅細部２５ａ，２５ａの断面積よりも小さくなっている。なお、前記折り曲げ境界部において、板厚を他の部分よりも局部的に薄くすることにより、この折り曲げ境界部での断面積を、連結部２６，２６の断面積および幅細部２５ａ，２５ａの断面積よりも小さくしてもよい。
【００３６】
図４（Ａ）は、摺動金具２０の固定部２５に外力が作用していない自由状態を示しているが、このとき、連結部２６，２６と固定部２５の内角は９０度を超える角度で開いており、固定部２５は、連結部２６，２６から離れるにしたがって取付け基準部２１から離れるように傾斜している。
【００３７】
摺動金具２０では、固定部２５に、Ｚ２方向へ窪む固定凹部２５ｂが形成されて、固定凹部２５ｂに取付け穴２５ｃが形成されている。図１（Ａ）（Ｂ）および図４に示すように、取付け穴２５ｃに挿通される取付けねじ２９が、移動ベース１１の取付け部１３に螺着されることで、摺動金具２０が移動ベース１１に固定される。
【００３８】
図３に示すように、摺動金具２０には、固定部２５からさらにＸ１方向へ延長された上方弾性腕部２８が一体に形成されており、上方弾性腕部２８の先部に、図１（Ａ）（Ｂ）および図２に示すように、ピックアップ本体３０を上方からＺ２方向へ押圧する押圧部２８ａが一体に形成されている。摺動金具２０は、連結部２６，２６から、取付け穴２５ｃまでの範囲が前記固定部２５であり、それよりもＸ１方向に延びる部分が上方弾性腕部２８である。
【００３９】
図６および図７に示すように、移動ベース１１の内部で且つ底部には、３箇所に調整凹部４１，４１，４１が一体に形成されている。図７に示すように、調整凹部４１，４１，４１は部分曲面形状であり、調整凹部４１，４１，４１は、同一の仮想球面Ｑの一部の周面に一致している。設計上は、仮想球面Ｑの中心が、対物レンズ３１の主点Ｌ０に一致している。
【００４０】
図７に示すように、対物レンズ３１が搭載されているピックアップ本体３０には調整突起４２が３箇所に設けられており、それぞれの調整突起４２は調整凹部４１，４１，４１に摺動自在に当接している。
【００４１】
図６と図７に示すように、移動ベース１１のＸ１側の側部には、下側からタンゼンシャル調整ねじ４３が挿通され、タンゼンシャル調整ねじ４３が、ピックアップ本体３０に形成された雌ねじ穴に螺着されている。図６に示すように、移動ベース１１のＹ１側の側部にはラジアル調整ねじ４４が挿通されており、ラジアル調整ねじ４４が、ピックアップ本体３０に形成された雌ねじ穴に螺着されている。
【００４２】
図２に示すように、ピックアップ本体３０のＸ２側で且つＹ２側の角部は、摺動金具２０と一体に形成された押圧部２８ａによって上方から押圧され、この押圧力によって、それぞれの調整突起４２が調整凹部４１に押圧されている。この状態で、タンゼンシャル調整ねじ４３のねじ込み量を調整することで、対物レンズ３１の光軸Ｌ１のタンゼンシャル方向の傾き調整を行うことができ、ラジアル調整ねじ４４のねじ込み量を調整することで、光軸Ｌ１のラジアル方向の傾き調整を行うことができる。
【００４３】
次に、摺動金具２０の取付け方法を説明する。
図１（Ｂ）に示すように、摺動金具２０は、移動ベース１１の取付け部１３に対して、Ｘ１方向へ差し込むことで取り付けることができる。図４（Ａ）に示すように、摺動金具２０の取付け基準部２１を、取付け部１３の下面１３ａと、挟持部１４，１５の挟持面１４ａ，１５ａとの間に差込み、２つの連結部２６，２６が、取付け部１３の端面１３ｃに当たるまで、摺動金具２０をＸ１方向へ押し込む。この取付け作業で、取付け基準部２１が、取付け部１３の下面１３ａに設置されるとともに、Ｕ字形状に曲げられた変形部２２が、移動ベース１１に形成された可動空間１６内に位置する。
【００４４】
このとき、図４（Ａ）に示すように、摺動金具２０の固定部２５は、取付け部１３の上面１３ｂから浮き上がっている。固定部２５の固定凹部２５ｂ内に形成された取付け穴２５ｃに取付けねじ２９を挿入して、この取付けねじ２９を、取付け部１３に形成された雌ねじ穴に螺着すると、取付けねじ２９の頭部で、摺動金具２０の固定部２５が取付け部１３の上面１３ｂに押し付けられる。
【００４５】
摺動金具２０の固定部２５が取付け部１３の上面１３ｂに押し付けられると、固定部２５のＸ２側の側部に設けられた幅細部２５ａ，２５ａと連結部２６，２６との境界に位置する折り曲げ境界部が、ほぼ直角になるように弾性変形する。このとき、取付け基準部２１は、そのＸ１側の端部が、取付け部１３の下面１３ａと挟持部１４，１５の挟持面１４ａ，１５ａとの間に挟まれている。そのため、前記弾性変形により、取付け基準部２１は、そのＸ１側の基部が挟持面１４ａ，１５ａに支えられた状態で、摺動凸部２３を有するＸ２側の先部が、取付け部１３の下面１３ａに押し付けられる。
【００４６】
なお、図３に示すように、摺動金具２０における幅細部２５ａ，２５ａと連結部２６，２６との境界に位置する折り曲げ境界部の断面積が、取付け基準部２１と連結部２６，２６との折り曲げ境界部の断面積よりも小さくなっている。そのため、取付けねじ２９が締め付けられたときに、幅細部２５ａ，２５ａと連結部２６，２６との境界に位置する折り曲げ境界部で、摺動金具２０が折り曲がりやすくなり、取付け基準部２１の摺動凸部２３が形成されている部分が、取付け部１３の下面１３ａから離れる現象が生じにくくなる。
【００４７】
よって、取付け基準部２１の摺動凸部２３が形成されている部分が、取付け部１３の下面１３ａに密着し、移動ベース１１上での摺動凸部２３の位置を、常に高精度に決めることが可能となる。
【００４８】
また、摺動金具２０が移動ベース１１に取り付けられた状態で、摺動金具２０に形成されている変形部２２は、移動ベース１１に形成された可動空間１６内において自由に弾性変形できるようになる。
【００４９】
また、摺動金具２０が移動ベース１１に取り付けられる際、摺動金具２０の上方弾性腕部２８の先部に設けられた押圧部２８ａが、ピックアップ本体３０の上面に当接させられ、この状態で、固定部２５が取付けねじ２９によって、取付け部１３の上面１３ｂに押し付けられる。よって、上方弾性腕部２８が弾性変形し、この変形による弾性力により、押圧部２８ａがピックアップ本体３０を上方から押圧する。
【００５０】
この光ピックアップ装置１では、移動ベース１１の一方の側部において２箇所に設けられた軸受穴１２ａ，１２ｂが、スクリュー軸２の外周面に最小の隙間で挿通される。移動ベース１１の他方の側部に設けられた受け部１８では、摺動金具２０に形成された摺動凸部２３が、ガイド軸３のＺ１側に向く上面に当接し、可動空間１６内で弾性変形可能な弾性腕部２２ｃに形成された弾圧凸部２４が、ガイド軸３のＺ２側に向く下面に弾圧される。その結果、受け部１８では、摺動凸部２３とガイド軸３とが確実に当接し、スクリュー軸２の回転力によって、移動ベース１１に送り力が作用するときに、摺動凸部２３とガイド軸３とが摺動する。同様に、弾圧凸部２４とガイド軸３とが摺動する。
【００５１】
この実施の形態の光ピックアップ装置１では、移動ベース１１に摺動金具２０を差込み、摺動金具２０の一箇所を取付けねじ２９で固定するだけで、摺動金具２０を移動ベース１１に位置決めして固定することができる。また、取付けねじ２９を締め付けることで、摺動凸部２３を、取付け部１３の下面１３ａに密着させることができるため、ガイド軸３との摺動部を、移動ベース１１上で常に同じ位置に位置決めできるようになる。よって、移動ベース１１のスクリュー軸２を中心とする回転方向での姿勢のばらつきの発生を抑制できる。
【００５２】
さらに、弾性腕部２２ｃを別の部材として取り付ける必要がなく、さらに、ピックアップ本体３０を上方から押圧する押圧部も別の部材として取り付ける必要がないため、部品点数を削減することができる。
【図面の簡単な説明】
【００５３】
【図１】（Ａ）は本発明の実施の形態の光ピックアップ装置を示す斜視図、（Ｂ）は前記実施の形態の光ピックアップ装置の移動ベースと摺動金具を分離して示す分解斜視図、
【図２】図１の光ピックアップ装置の平面図、
【図３】摺動金具を示す斜視図、
【図４】移動ベースへの摺動金具の取付け構造を示す図１（Ａ）（Ｂ）のＩＶ矢視の部分側面図であり、（Ａ）は摺動金具を移動ベースに差し込んだ状態を示し、（Ｂ）は摺動金具を取付けねじで固定した状態を示す、
【図５】図４（Ｂ）のＶ矢視の部分端面図、
【図６】ピックアップ本体を取り外した移動ベースを示す平面図、
【図７】光ピックアップ装置の部分断面図であり、ピックアップ本体の光軸調整機構を示す断面図
【符号の説明】
【００５４】
１  光ピックアップ装置
１０  移動部
１１  移動ベース
１２  基準軸受部
１２ａ，１２ｂ  軸受穴
１３  取付け部
１４，１５  挟持部
１８  受け部
２０  摺動金具
２１  取付け基準部
２２  変形部
２２ｃ  弾性腕部
２３  摺動凸部
２４  弾圧凸部
２５  固定部
２６  連結部
２７  凹部
２８  上方弾性腕部
２８ａ  押圧部
３０  ピックアップ本体
３１  対物レンズ
４１  調整凹部
４２  調整突起
４３  タンゼンシャル調整ねじ
４４  ラジアル調整ねじ
【図１】
0004467538.tif 000002
【図２】
0004467538.tif 000003
【図３】
0004467538.tif 000004
【図４】
0004467538.tif 000005
【図５】
0004467538.tif 000006
【図６】
0004467538.tif 000007
【図７】
0004467538.tif 000008